(57)【要約】【課題】高額で大掛かりな装置を必要とせず、身体の不自由な障害者を、容易に車両に乗車および降車させることができる障害者用の車両乗降装置を提供すること。【解決手段】車両（５０）のセンターピラー（５１）に装着される支持軸（１０）と、該支持軸（１０）に連結された、上下動および水平回転するアーム体（２０）と、該アーム体（２０）の先端に設置された電動リール（３０）と、該電動リール（３０）に吊着されたフック（４０）と、該フックに懸吊される吊下具（４５）とで形成されている。【選択図】　　図１
2004033684.tif 000002
【特許請求の範囲】
【請求項１】
車両のセンターピラーに装着される支持軸と、該支持軸に連結された、上下動および水平回転するアーム体と、該アーム体の先端に設置された電動リールと、該電動リールに吊着されたフックと、該フックに懸吊される吊下具とで形成されていることを特徴とする障害者用の車両乗降装置。
【請求項２】
前記アーム体を、支持軸に着脱自在に連結した請求項１記載の障害者用の車両乗降装置。
【請求項３】
前記電動リールは、車両に具備されているシガライター用プラグにて作動される請求項１または２記載の障害者用の車両乗降装置。
【発明の詳細な説明】
【０００１】
【発明の属する技術分野】
本発明は、身体の不自由な障害者を、車両の座席に容易に乗車および降車させることができる障害者用の車両乗降装置に関する。
【０００２】
【従来の技術】
従来より、身体の不自由な障害者を車両に乗車させる場合、車椅子を車両のシート近くまで移動させ、健常者が着座状態の障害者を抱きかかえ、車椅子から車両シートまで移し変えていた。また、降車させる場合も、シートに着座した障害者を健常者が抱きかかえて車椅子まで移し変えていた。
【０００３】
また、ワゴン車等に車椅子を昇降させる装置を装着させ、該昇降装置の昇降板に障害者が着座した状態で車椅子を載置させ、昇降板を車両床面まで上昇させて車椅子を車内に移動し固定ていた。また、目的地に到着した場合、昇降板まで車椅子を移動し固定させ、昇降板を地面まで降下させて車両から車椅子を降ろしていた。
【０００４】
【発明が解決しようとする課題】
しかし、健常者が着座状態の障害者を抱きかかえ、車椅子から車両シートまで移し変える作業は非常に困難であり、特に女性や高齢者が行う場合には複数の人数を必要とした。
【０００５】
また、車椅子を昇降させる装置を装着させた車両においては、車両本体が高額になると共に、車椅子が運転席と隔離されてしまうので、安心感やくつろいだ気分が得られなかった。
【０００６】
そこで本発明は上記の点に鑑み、高額で大掛かりな装置を必要とせず、身体の不自由な障害者を、容易に車両に乗車および降車させることができる障害者用の車両乗降装置を提供することにある。
【０００７】
【課題を解決するための手段】
上記課題を解決するために、本発明の障害者用の車両乗降装置は、車両のセンターピラーに装着される支持軸と、該支持軸に連結された、上下動および水平回転するアーム体と、該アーム体の先端に設置された電動リールと、該電動リールに吊着されたフックと、該フックに懸吊される吊下具とで形成されている。その構造により、車椅子に着座中の障害者の臀部下部に吊下具を配置し、電動リールを作動させて吊下具を上昇させアーム体を車両シート方向まで移動させ、吊下具を下降させて障害者をシートに着座させる。そのことにより、容易に、且つ短時間に障害者を車両に乗車および降車させることが可能となる。
【０００８】
また、前記アーム体を支持軸に着脱自在に連結したことにより、不使用時においては、アーム体を車内の床に倒伏させておくことができ、車内スペースの確保が可能となる。
【０００９】
また、前記電源リールは、車両に具備されているシガライター用プラグにて作動されるため、大掛かりな電源装置を搭載させることなく、手軽に乗降装置を作動させることが可能となる。
【００１０】
【発明の実施の形態】
次に、本発明の障害者用の車両乗降装置を図面に基づいて説明する。なお、図１は車両乗降装置の全体斜視図、図２は前記車両乗降装置の作用動作を示す側面図、図３は障害者を吊下具に着座させた状態、図４は障害者を車両シートに着座させた状態をそれぞれ表す。
【００１１】
図示する車両乗降装置１は、身体の不自由な障害者を、車椅子から車両の座席に容易に乗車または降車させることができるものであり、車両５０のセンターピラー５１に装着される支持軸１０と、該支持軸１０に連結された、上下動および水平回転するアーム体２０と、該アーム体２０の先端に設置された電動リール３０と、該電動リール３０に吊着されたフック４０と、該フックに懸吊される吊下具４５とで形成されている。
【００１２】
支持軸１０は、下部の筒状体１１と、該筒状体１１内に装着される軸体１２とで構成されている。また前記軸体１２は、クラフトボルト１４により保持体１３に設置されている。
【００１３】
また、前記筒状体１１の軸体１２の上端は、車両５０のセンターピラー５１上部のシートベルト用ボルト５２に固定されている。なお、前記軸体１２は筒状体１１に上下移動可能に装着されている。
【００１４】
アーム体２０は、中空状であって、内部に高さ調節用のパイプ２２を具備した筒体２１と、前記パイプ２２内および筒体２１内に収容される、Ｌ字状のアーム２３とで形成されている。また前記アーム２３は、筒状体２１を中心に上下動および水平回転することが可能に連結されている。
【００１５】
また、前記筒体２１には装着具２４が設置されており、該装着具２４はピン２５により前記保持体１３に着脱自在に連結されている。さらに、前記筒体２１の下端は、ボルト２６により固定板１５に起伏自在に連結されている。
【００１６】
また前記アーム２３の上端には、電動リール３０およびモータ３１が具備されており、前記電動リール３０には幅広状のベルト３２が巻回されている。さらに、該ベルト３２の先端には、後述詳細の吊下具４５を吊着させるフック４０が設置されている。
【００１７】
また、前記電動リール３０は、車両５０に具備されているシガライター用プラグ２にて作動される。シガライター用プラグ２のプラグ３は、ダッシュボードの挿入口４に装着され、コード５は、前記筒体２１とパイプ２２、およびアーム２３内に収容されており、先端がモータ３１に接続されている。
【００１８】
次に、本発明の障害者用の車両乗降装置の使用方法および作用動作の詳細を図３および図４に基づいて説明する。
【００１９】
先ず、シガライター用プラグ２のプラグ３をダッシュボードの挿入口４に装着させる。そして、障害者ａを着座させた車椅子を車両５０の助手席近くに移動させ、着座中の障害者ａの臀部下部に吊下具４５の布体４６を敷設する。次に、アーム２３を障害者ａの方向に回転させ高さ調節を行い、吊下具４５の紐４７をフック４０に装着させる。そして、電動リール３０のスイッチ３３を入れ吊下具４５を上昇させる。
【００２０】
さらに、吊下具４５により障害者ａを上昇させた状態でアーム２３を車内方向へ回転移動し、フック４７を降下させて障害者ａをシート５３に着座させる。また、目的地に到着したら、前述と逆の方法を用いて障害者ａを車椅子に着座させる。
【００２１】
一連の乗降作業が終了したら、プラグ３を挿入口４より抜き、保持体１３のピン２５を取り外し、アーム体２０を車内の床に倒伏させる。
【００２２】
【発明の効果】
以上説明してきたように、本発明の障害者用の車両乗降装置は、上述により以下に示す効果を奏するものである。
【００２３】
車両のセンターピラーに装着される支持軸と、該支持軸に連結された、上下動および水平回転するアーム体と、該アーム体の先端に設置された電動リールと、該電動リールに吊着されたフックと、該フックに懸吊される吊下具とで形成されているため、車椅子に着座中の障害者の臀部下部に吊下具を配置し、電動リールを作動させて吊下具を上昇させアーム体を車両シート方向まで移動させ、吊下具を下降させて障害者をシートに着座させることにより、容易に、且つ短時間に障害者を車両に乗車および降車させることが可能となる。
【００２４】
また、アーム体を支持軸に着脱自在に連結したことにより、不使用時においては、アーム体を車内の床に倒伏させておくことができ、車内スペースの確保が可能となる。
【００２５】
さらに、電源リールは、車両に具備されているシガライター用プラグにて作動されるため、大掛かりな電源装置を搭載させることなく、手軽に乗降装置を作動させることが可能となる。
【図面の簡単な説明】
【図１】本発明の車両乗降装置の全体斜視図を表す。
【図２】前記車両乗降装置の作用動作を示す側面図を表す。
【図３】障害者を吊下具に着座させた状態を表す。
【図４】障害者を車両シートに着座させた状態を表す。
【符号の説明】
１・・・車両乗降装置
２・・・シガライター用プラグ
３・・・プラグ
４・・・挿入口
５・・・コード
１０・・支持軸
１１・・筒状体
１２・・軸体
１３・・保持体
１４・・クラフトボルト
１５・・固定板
２０・・アーム体
２１・・筒体
２２・・パイプ
２３・・アーム
２４・・装着具
２５・・ピン
３０・・電動リール
３１・・モーター
３２・・ベルト
３３・・スイッチ
４０・・フック
４５・・吊下具
４６・・布体
４７・・紐
５０・・車両
５１・・センターピラー
５２・・座席
ａ・・障害者
【図１】
2004033684.tif 000003
【図２】
2004033684.tif 000004
【図３】
2004033684.tif 000005
【図４】
2004033684.tif 000006